(57)【特許請求の範囲】
【請求項１】
釣針において、
前端部と、釣糸を縛り付けることができる後端部とを有する細長い本体であって、該細長い本体の前端部を画定するテーパー付先端で終るシャフトと、前記シャフトに取り付けられて、前記釣糸を受け入れるための縛り付けリングの中で終るコネクタとを含み、前記縛り付けリングは前記細長い本体の後端部を画定し、前記細長い本体は、前記前端部の近傍に設けられた枢動ピンにより枢支点を画定するとともに少なくとも１つの細長い凹所を有し、該少なくとも１つの細長い凹所は細長い本体の長手方向軸と平行に延在する、細長い本体と、
返しで終る少なくとも１つの細長いアームであって、閉位置と完全開位置との間で枢動可能に、前記枢支点において前記細長い本体に取り付けられた細長いアームとを含み、
前記少なくとも１つの細長いアームは、前記閉位置において前記少なくとも１つの細長い本体と整列するとともに前記細長い本体の前記少なくとも１つの細長い凹所内に適応し、前記完全開位置において前記細長い本体に対して横方向に延び、
前記少なくとも１つの細長いアームは、平坦なベース部分を有し、該平坦なベース部分は前記開位置において前記細長い本体の前端部の内部の壁と当接し、該内部の壁は各細長いアームが開く限度を制限するように前記細長い本体の長手方向軸と直角に延在し、
前記少なくとも１つの細長いアームの前記平坦なベース部分は前記枢支点を画定する枢動ピンを受けるループで終わり、
前記枢動ピンは前記細長い本体の前記前端を通って延在しており、
前記少なくとも１つの凹所は前記細長い本体の前端部の内部の壁と前記縛り付けリングの間を延在し、
前記少なくとも１つの細長いアームは、前記テーパー付先端と前記縛り付けリングの間において前記細長い本体の長手方向軸に沿って配置され、
前記細長い本体の前端部の内側の壁は前記枢動ピンと前記テーパー付先端の間に配置され、
前記釣針は餌の中に挿入されるように構成され、前記細長い本体を引っ張ることにより前記少なくとも１つの細長いアームが前記餌から突出するように構成される、釣針。
【請求項２】
前記釣針が、前記枢支点の周りに枢動可能な一対の細長いアームを含み、各アームは返しで終る請求項１に記載の釣針。
【請求項３】
本体部分を含む餌と、
釣針と
を含む釣針キットであって、前記釣針は
前端部と、釣糸を縛り付けることができる後端部とを有する細長い本体であって、該細長い本体の前端部を画定するテーパー付先端で終るシャフトと、前記シャフトに取り付けられて、前記釣糸を受け入れるための縛り付けリングの中で終るコネクタとを含み、前記縛り付けリングは前記細長い本体の後端部を画定し、前記細長い本体は、前記前端部に設けられた枢動ピンにより枢支点を画定するとともに少なくとも１つの細長い凹所を有し、該少なくとも１つの細長い凹所は細長い本体の長手方向軸と平行に延在する、細長い本体と、
返しで終る少なくとも１つの細長いアームであって、前記餌の前記本体部分の中に前記釣針を挿入し易くするために前記細長い本体と整列する閉位置と、前記餌に対して前記釣針を固定するように前記餌の前記本体部分に返しが係合する中開位置と、アームが前記餌の前記本体部分から突出する完全開位置との間で、移動可能になるように、前記細長い本体に取り付けられた少なくとも１つの細長いアームとを含み、該少なくとも１つの細長いアームは前記完全開位置において前記細長い本体に対して横方向に延び、
前記少なくとも１つの細長いアームは、平坦なベース部分を有し、該平坦なベース部分は前記開位置において前記細長い本体の前端部の内部の壁と当接し、該内部の壁は各細長いアームが開く限度を制限するように前記細長い本体の長手方向軸と直角に延在し、
前記少なくとも１つの細長いアームの前記平坦なベース部分は前記枢支点を画定する枢動ピンを受けるループで終わり、
前記枢動ピンは前記細長い本体の前記前端を通って延在し、
前記少なくとも１つの凹所は前記細長い本体の前端部の内部の壁と前記縛り付けリングの間を延在し、
前記少なくとも１つの細長いアームは、前記テーパー付先端と前記縛り付けリングの間において前記細長い本体の長手方向軸に沿って配置され、
前記細長い本体の前端部の内側の壁は前記枢動ピンと前記テーパー付先端の間に配置された、釣針キット。
【請求項４】
前記餌の中に前記釣針を挿入し易くするために前記餌の前記本体部分がその長さに沿って細長い溝を有する請求項３に記載の釣針キット。
【発明の詳細な説明】
【技術分野】
【０００１】
本発明は、釣針に関し、特にバス用釣針に関する。
【背景技術】
【０００２】
従来のバス用釣針は、釣糸を縛り付けることができる曲ったかぎを含む。これらの釣針は通常、使用時に、魚のための餌として作用するプラスチック・ワームに取り付けられる。しかし、このワームに取り付けられると、釣針の曲った部分は露出する傾向があり、これは餌としてのワームの効果を低減する。
【発明の開示】
【発明が解決しようとする課題】
【０００３】
したがって、本発明の目的は、上記の欠点と取り組む改善されたバス用釣針を提供することである。
【課題を解決するための手段】
【０００４】
本発明の第１態様によれば、
前端部と、釣糸を縛り付けることができる後端部とを有する細長い本体と、
返しで終る少なくとも１つの細長いアームであって、細長い本体と整列する閉位置と、少なくとも１つの細長いアームが細長い本体に対して横断して延びる完全開位置との間で、移動可能になるように、細長い本体に取り付けられた少なくとも１つの細長いアームと
を含む釣針が提供される。
【０００５】
ある実施例では、釣針は、各アームが返しで終る一対の細長いアームを含む。
【０００６】
少なくとも１つの細長いアームが、枢動式に細長い本体に取り付けられていることは便利である。
【０００７】
ある実施例では、細長い本体は、
細長い本体の前端部を画定するテーパー付き先端で終るシャフトと、
シャフトに取り付けられて、釣糸を受け入れるための縛り付けリングの中で終るコネクタと
を含む。
【０００８】
細長い本体が、アームがその閉位置にあるときには少なくとも１つの細長いアームに適応する少なくとも１つの凹所を有することは便利である。
【０００９】
本発明の第２態様によれば、
本体部分を含むワームと、
釣針と
を含む釣針キットであって、釣針は
前端部と、釣糸を縛り付けることができる後端部とを有する細長い本体と、
返しで終る少なくとも１つの細長いアームであって、ワームの本体部分の中に釣針を挿入し易くするために細長い本体と整列する閉位置と、ワームに対して釣針を固定するようにワームの本体部分に返しが係合する中開位置と、アームがワームの本体部分から突出する完全開位置との間で、移動可能になるように、細長い本体に取り付けられた少なくとも１つの細長いアームと
を含む
釣針キットが提供される。
【００１０】
ある実施例では、ワームの本体部分はその長さに沿った細長い溝を画定する。
【実施例】
【００１１】
図を参照すると、バス用釣針１０は、細長い本体１２の前端部を画定するテーパー付き先端１６で終っているシャフト１４を備えた細長い本体１２を含む。細長い本体１２は、シャフト１４に取り付けられて、釣糸２２が固定することができる縛り付けリング２０で終っているコネクタ１８をさらに含む。
【００１２】
ある実施例では、シャフト１４は、一対の細長いアーム２８、３０をそれぞれ受け入れるための一対の細長いスロット又は凹所２４、２６を含む。アーム２８、３０は、枢支点３１において枢支点３１によって細長い本体１２の前端部に枢動式に取り付けられ、枢支点３１は、ある実施例では細長い本体１２の前端部を通って延在する枢動ピンの形をとる。
【００１３】
代替案として、シャフト１４を１本の枢動可能な細長いアーム２８、３０に取り付けるだけでもよい。
【００１４】
ある実施例では、直径６ｍｍの細長い本体１２が２本のアーム２８、３０に適応することができ、また、直径５ｍｍの細長い本体１２が１本のアーム２８、３０だけに適応することもできる。
【００１５】
各アーム２８、３０は、平坦なベース部分２８Ａ、３０Ａをそれぞれ有し、このベース部分は、図２に示す斜角をなして開いた位置では、細長い本体１２の前端部の内側の壁３２に当接している。この配置によって、図２に示すように、アーム２８、３０は確実にある一定の限度までにのみ開くことができる。平坦なベース部分２８Ａ、３０Ａは各々、枢支ピン３１を受け入れるためのループの中で終っている。
【００１６】
各アーム２８、３０はそれぞれ返し２８Ｂ、３０Ｂで終っており、ある実施例では、返し２８Ｂ、３０Ｂは図１に示すようにシャフト１４を被って突出するように配置されている。
【００１７】
図１に示すようにアーム２８、３０が本体１２と整列する閉位置と、図２に示すように斜角をなして開いた位置との間で、アーム２８、３０が移動可能であることは重要である。
【００１８】
ある実施例では、本体部分３６と尾部分３８を含むプラスチック・ワーム３４を提供することもできる。ある実施例では、本体部分３６は中実体である。しかし、本体部分３６は中空室を画定することもできる。釣針１０をワーム３４の中に挿入し易くするために、ワーム３４は長さが約５ｃｍで深さが約２ｍｍのスロット又は溝４０を画定してもよい。
【００１９】
したがって、使用時には、ここで特に図３を参照すると、釣針１０の挿入を、特にプラスチック・ワーム３４の中への細長い本体１２の挿入を容易にするために、先ずアーム２８、３０を閉位置に動かす。いったんワーム３４の中に入れると、コネクタ１８及び／又は釣糸２２を矢印４２で示す方向に僅かな長さだけ引っ張り、これによって、釣針１０をワーム３４に対して固定するようにアーム２８、３０の返し２８Ｂ、３０Ｂはワーム３４の本体部分３６と係合する。ここで図３に示すように釣針１０の使用準備が完了し、アーム２８、３０は中開位置をとっている。
【００２０】
魚が釣針１０の上の餌に食いつくと、釣針１０を取り扱っている人は、矢印４２の方向に釣糸２２を強く引っ張ることができ、これによって釣針１０のコネクタ１８とシャフト１４をやはり矢印４２の方向に動かす。これによってアーム２８、３０はワームの本体部分３６から突出することになる。次いでこれによって返し２８Ｂ、３０Ｂは食いついた魚に係合し、アーム２８、３０については、細長い本体１２に対して（図２に示す）完全開位置に同時に動く。
【００２１】
魚を釣針１０から取り外した後にワーム３４から釣針１０を取り外すために、アーム２８、３０を折りたたむように釣針１０をワーム本体部分３６の中に押し込むのは簡単なことである。
【００２２】
したがって本発明は、主としてバスを捕ることが目的であるが、マカジキなどの他の魚を捕るためにも使用することができる簡単で再使用可能な個別の釣針を提供する。
【図面の簡単な説明】
【００２３】
【図１】細長い本体と一対のアームとを含み、両アームはこの図では釣針の細長い本体と整列した閉構成の状態で示されている、本発明によるバス用釣針の上面図である。
【図２】アームが斜角をなして開いた構成で示されている、バス用釣針の上面図である。
【図３】使用の準備ができた、プラスチック・ワームの中に取り付けられた本発明によるバス用釣針の上面図である。
【符号の説明】
【００２４】
１０  釣針
１２  細長い本体
１４  シャフト
１６  テーパー付き先端
１８  コネクタ
２０  縛り付けリング
２２  釣糸
２４  細長いスロット又は凹所
２６  細長いスロット又は凹所
２８  アーム
２８Ａ  平坦なベース部分
２８Ｂ  返し
３０  アーム
３０Ａ  平坦なベース部分
３０Ｂ  返し
３１  枢支点
３２  壁
３４  プラスチック・ワーム
３６  本体部分
３８  尾部分
４０  スロット又は溝
４２  矢印
【図１】
0005456229.tif 000002
【図２】
0005456229.tif 000003
【図３】
0005456229.tif 000004